(57)【特許請求の範囲】
【請求項１】
キャビネットの下部に前方に開口する引出し部収納用の空所を設けて引出し部を引き出し自在に収納し、前記引出し部の後部に配管を挿通するための上下及び後方に開口する凹部を設け、空所の上方に位置するキャビネットの底面板部の下面に、底板部の反りを防止するための断面略コ字状の補強桟を設け、断面略コ字状の補強桟の内部に固着ネジ挿通部を設け、この固着ネジ挿通部の外側端面を断面略コ字状の補強桟の両自由端部で形成される面内に配置して成ることを特徴とする収納機能付キャビネットの引出し部収納構造。
【請求項２】
引出し部内部に収納自在な内トレイを設けると共に内トレイに把手を設けて成ることを特徴とする請求項１記載の収納機能付キャビネットの引出し部収納構造。
【請求項３】
引出し部の凹部を、引出し部後部の両側板部間全長のうちの一部にのみ設けて成ることを特徴とする請求項１記載の収納機能付キャビネットの引出し部収納構造。
【発明の詳細な説明】
【０００１】
【発明の属する技術分野】
本発明は、洗面化粧台等の収納機能付キャビネットの引出し部収納構造に関するものである。
【０００２】
【従来の技術】
従来より、引出し部付の様々な洗面化粧台等の収納機能付キャビネットが商品化されてきた。これらの収納機能付キャビネットの引出し部は、略箱状の上面が開口したもので、キャビネットの前方に開口した空所にこの引出し部を出し入れ自在に収納するものである。そして、引出し部をキャビネットの空所に出し入れ自在とするには、キャビネットの空所と引出し部の双方に設けたスライドレールとローラとを使用するという既知の技術によって達成するものである。
【０００３】
しかし、このスライドレールとローラとによって空所に出し入れ自在に収納する引出し部は、スライドレールとローラとを使用する技術の性格上、引出し部を前方に充分引き出せないものであった。具体的には、略箱状をした引出し部の後背部の側板である背板部を、キャビネットの前面よりも後方にまでしか引き出せないものであった。このため、引出し部内の後方下部等の奥まった部位に収納されている収納物は、引出し部を最も前方に引き出した状態でもキャビネット前面よりも後方にあるため、見えないうえに手を入れにくく、出し入れし辛いものであった。
【０００４】
また、キャビネットの空所の上方に位置するキャビネットの底面板部の上には、収納物を載置して収納しているため、底板が下方へ凸となるように反って変形してしまい、引出し部を出し入れする時に、引出し部内の収納物や引出し部の背板部が変形した底板に接触して引出し部を出し入れできないという問題があった。このため、キャビネットの底面板部の下面に断面略コ字状の補強桟を取り付けるようにしたが、問題があるものであった。詳しく説明すると、補強桟は図８及び図９に示すように、底辺部６２と底辺部６２の両側に連設した側辺部６３とから成る断面略コ字状のもので、底辺部６２には補強桟６をキャビネット１の底面板部１１に固着するための固着孔（図示せず）が長手方向に複数個設けてあり、固着ネジ９をこの固着孔に下方より挿通してキャビネット１の底面板部１１に固着するものであった。しかし、図８（ａ）に示すように補強桟側辺部６３の自由端部６３ａをキャビネット１の底面板部１１下面に当接させて固着ネジ９ａで固着するように固着ネジ９ａを選定した場合、間違えて図８（ｂ）に示すように補強桟６の底辺部６２外面をキャビネット１の底面板部１１下面に当接させて固着ネジ９ａで固着すると、固着ネジ９ａがキャビネット１の底面板部１１を貫通して上方に突き出してしまい、収納物が損傷してしまうものであった。また、図９（ａ）に示すように補強桟６の底辺部６２外面をキャビネット１の底面板部１１下面に当接させて固着ネジ９ｂで固着するように固着ネジ９ｂを選定した場合、間違えて図９（ｂ）に示すように補強桟側辺部６３の自由端部６３ａをキャビネット１の底面板部１１下面に当接させて固着ネジ９ｂで固着してしまうと、固着ネジ９ｂがキャビネットの底面板部１１に届かないという問題があるものであった。
【０００５】
さらに、引出し部内に多くの収納物を隙間なく収納した場合、引出し部内の後方下部等の奥まった部位に収納されている収納物は、引出し部を最も前方に引き出した状態でも引出し部より出し入れしにくいという問題もあった。
【０００６】
【発明が解決しようとする課題】
本発明は上記の点に鑑みてなされたものであり、その目的とするところは、引出し部内の後方下部等の奥まった部位に収納されている収納物が、引出し部を最も前方に引き出した状態でも出し入れしにくいということがなく、また、キャビネットの底面板部の変形を抑える補強桟を間違えて固着することによって収納部が損傷したり固着ネジがキャビネット底面板部に届かなかったりといったこともなく、更に、引出し部内の後方下部等の奥まった部位に収納されている収納物を容易に取り出せる収納機能付キャビネットの引出し部収納構造を提供することを課題とするものである。
【０００７】
【課題を解決するための手段】
上記課題を解決するために本発明に係るキャビネットは、キャビネット１の下部に前方に開口する引出し部２収納用の空所３を設けて引出し部２を引き出し自在に収納し、前記引出し部２の後部に配管４を挿通するための上下及び後方に開口する凹部５を設け、空所３の上方に位置するキャビネット１の底面板部１１の下面に、底面板部１１の反りを防止するための断面略コ字状の補強桟６を設け、断面略コ字状の補強桟６の内部に固着ネジ挿通部６１を設け、この固着ネジ挿通部６１の外側端面６１ａを断面略コ字状の補強桟６の両自由端部６３ａで形成される面内に配置することを特徴とするものである。このような構成とすることで、引出し部２と配管４との干渉を回避できると共に、引出し部２を最も引き出した状態で、引出し部２内に収納した収納物１０はキャビネット１の前面より前方に引き出されて、容易に引出し部２に出し入れできるようになり、更に、補強桟６のキャビネット底面板部１１への取り付けが、補強桟６の側辺部６３の自由端部６３ａまたは底辺部６２外面のいずれをキャビネットの底面板部１１下面に当接させる場合でも、同じ固着ネジ９を用いて固着できるようになるものである。
【０００９】
また、引出し部２内部に収納自在な内トレイ７を設けると共に内トレイ７に把手７１を設けることが好ましい。このような構成とすることで、収納物１０を収納した内トレイ７を把手７１を掴んで引出し部２より引き出すことで、引出し部２の後方下部等の最も取り出しにくい位置に収納された収納物１０でも、内トレイ７ごと引出し部２より引き出すことによって、容易に取り出せるようになるものである。
【００１０】
また、引出し部２の凹部５を、引出し部２後部の両側板部２３，２４間全長のうちの一部にのみ設けることが好ましい。このような構成とすることで、空所３の後部の一側方にのみ配管４が配置されている場合、配管４が配置されていない側の引出し部２後方に引出し部２を延長することで、引出し部２の収納部を拡大することができるものである。
【００１１】
【発明の実施の形態】
以下、本発明を添付図面に示す実施形態に基づいて説明する。
【００１２】
洗面ボールを備えると共に洗面ボールへの給水及び排水用の配管４を内部に挿通する洗面化粧台等の収納機能付キャビネット１の下部には、前方に開口して引出し部２を出し入れ自在に収納する空所３を設け、この空所３に引出し部２を出し入れ自在に収納するものである。
【００１３】
キャビネット１下部の空所３に出し入れ自在に収納する引出し部２は、上面視略矩形の一長辺の端部に矩形の切欠を設けた底板部２１と、底板部２１の切欠を設けていない長辺を前辺として前辺、両側辺、外側の後辺及び内側の後辺、内側と外側の後辺に連続する辺より上方にそれぞれ立設した前板部２２、側板部２３，２４、第１の背板部２５ａ及び第２の背板部２５ｂ、背垂板部２５ｃとで構成されるものである。そして、これら前板部２２、側板部２３，２４、第１の背板部２５ａ及び第２の背板部２５ｂ、後側板部２５ｃとで囲まれた底板部２１上面が引出し部２の収納部となるものである。
【００１４】
第２の背板部２５ｂは第１の背板部２５ａよりも引出し部２の内側、すなわち前方に位置するものである。また、第２の背板部２５ｂ側の底板部２１側辺より立設した側板部２４は、後端部２４ａを後方に延長して後端部２４ａが第１の背板部２５ａと同一面内に位置しており、両側板部２３，２４はほぼ同じ長さとなっている。そして、これら第２の背板部２５ｂ、背垂板部２５ｃ、側板部２４とで囲まれて上下方向及び後方に開口した凹部５が形成され、この凹部５には、キャビネット１の空所３の後部に配置されている給水管４ａ，排水管４ｂ等の配管４が挿通するものである。
【００１５】
引出し部２の両側板部２３，２４外面には、長手方向全長に亘ってスライドレール８１ａを設けると共に後端部付近にローラ８２ａを設けるものである。これに対応して、引出し部２をキャビネット１の空所３に収納した時に引出し部２の両側板部２３，２４外面と近接対向する空所３内面には、長手方向全長に亘ってスライドレール８１ｂを設けると共に前部付近にローラ８２ｂを設けるものである。そして、引出し部２のローラ８２ａがキャビネット１のスライドレール８１ｂ内を転動すると共に、キャビネット１のローラ８２ｂが引出し部２のスライドレール８１ａ内を転動すること引出し部２を空所３に出し入れするもので、この既知の技術を用いることで引出し部２をキャビネット１の空所３に出し入れ自在に収納できるようになっている。
【００１６】
このようにして引出し部２が空所３に出し入れ自在となっているが、引出し部２の引き出し過ぎによる脱落を防止するため、キャビネット１のスライドレール８１ｂの途中には引出し部２のローラ８２ａの移動を制限するストッパー（図示せず）が設けられている。このため、引出し部２を最も前方に引き出した状態においても、引出し部２の側板部２３，２４の後端部はキャビネット１の前面よりも後方にまでしか引き出せないが、第２の背板部２５ｂは側板部２４の後端部２４ａより前方に位置しており、引出し部２を最も前方に引き出した状態において第２の背板部２５ｂはキャビネット１の前面とほぼ同一面内に位置するものである。これによって、第２の背板部２５ｂの前方に収納した収納物１０は全て、引出し部２を最も引き出した状態でキャビネット１の前面より前方に引き出され、これらの収納物１０を容易に引出し部に出し入れできるものである。
【００１７】
以上のように、第２の背板部２５ｂ、背垂板部２５ｃ、側板部２４とで囲まれて上下方向及び後方に開口した凹部５を形成したことで、引出し部２をキャビネット１の空所３に収納した時に、空所３の後部に配置された配管４の位置には引出し部２の凹部５が位置することになって引出し部２と配管４との干渉を回避できると共に、第２の背板部２５ｂを第１の背板部２５ａよりも前方に配置したので、引出し部２を最も引き出した状態で、第２の背板部２５ｂの前方に収納した収納物は全てキャビネット１の前面より前方に引き出され、容易に引出し部２に出し入れできるようになるものである。
【００１８】
次に、図３乃至図５に基づいて他の実施形態について説明する。
【００１９】
本実施形態では上実施形態に加えて、引出し部２を収納するキャビネット１の空所３の上方に位置するキャビネット１の底面板部１１の下面に、底面板部１１上面に載置した収納物の重みによる底面板部１１の変形を防止するために、断面略コ字状をした補強桟６を設けるものである。
【００２０】
補強桟６は、図３に示すように、底辺部６２と底辺部６２の両側に連設した側辺部６３とから成る断面略コ字状のもので、底辺部６２には補強桟６をキャビネット１の底面板部１１に固着するための固着孔６４が長手方向に複数個設けてあり、固着ネジ９を固着孔６４に挿通してキャビネット１の底面板部１１に設けた固定孔（図示せず）に固着するものである。
【００２１】
更に補強桟６の底辺部６２の内面側には、複数個の固着孔６４の両側に隣接した部位に、固着ネジ９のネジ頭の位置決めをするための固着ネジ挿通部６１を突設し、この固着ネジ挿通部６１の外側端面６１ａが側辺部６３の自由端部６３ａで形成される面内に位置するようにするものである。これによって、図４（ａ）に示すように補強桟側辺部６３の自由端部６３ａをキャビネット１の底面板部１１下面に当接させて固着ネジ９で固着した場合、固着ネジ９の首下部は補強桟６の側辺部６３の幅長さ分だけ浮いた状態でキャビネット１の底面板部１１に固着されることになり、図４（ｂ）に示すように補強桟底辺部１１外面をキャビネット１の底面板部１１下面に当接させて固着ネジ９で固着した場合でも、固着ネジ９の首下部は補強桟６の側辺部６３の幅長さ分だけ浮いた状態でキャビネット１の底面板部１１に固着されることになり、図４（ａ）（ｂ）のいずれの場合でも固着ネジ９を同じ長さだけ締め付けることができるものである。また補強桟６は図５に示すように、引出し部２をキャビネット１の空所３に出し入れする時、引出し部２の第１の背板部２５ａ及び第２の背板部２５ｂに接触しないようにキャビネット１の底面板部１１下面に固着するものである。
【００２２】
以上のようにすることによって、補強桟６のキャビネット底面板部１１への取り付けは、補強桟６の側辺部６３の自由端部６３ａまたは底辺部６２外面のいずれをキャビネット底面板部１１に当接させても、同じ固着ネジ９を用いて固着できるようになるものである。
【００２３】
次に、図６に基づいて更に他の実施形態について説明する。
【００２４】
本実施形態では上実施形態に加えて、引出し部２内の第１の背板部２５ａより前方の領域を占める略箱状をして上面が開口した内トレイ７を、引出し部２の第１の背板部２５ａと前板部２２と側板部２３との間の空間に出し入れ自在に設けるものである。
【００２５】
更に内トレイ７には、内トレイ７を引出し部２より引き出す時に掴むための長穴である把手７１を、内トレイ７の上開口端縁の前部に設けるものである。
【００２６】
以上のようにすることによって、収納物１０を収納した内トレイ７を把手７１を掴んで引出し部２より引き出すことで、引出し部２の第１の背板部２５ａの前部付近の取り出しにくい位置に収納された収納物１０でも、内トレイ７ごと引出し部より引き出すことによって、容易に取り出せるようになるものである。
【００２７】
【発明の効果】
上記のように本発明の請求項１記載の発明にあっては、キャビネットの下部に前方に開口する引出し部収納用の空所を設けて引出し部を引き出し自在に収納し、前記引出し部の後部に配管を挿通するための上下及び後方に開口する凹部を設けたので、引出し部と配管との干渉を回避できると共に、引出し部を最も引き出した状態で、第２の背板部の前方に収納した収納物は全てキャビネットの前面より前方に引き出されて容易に引出し部に出し入れでき、キャビネット内の限られた空間を無駄なく利用できて且つ引出し部の収納性向上が図れるものであり、更に、空所の上方に位置するキャビネットの底面板部の下面に、底板部の反りを防止するための断面略コ字状の補強桟を設け、断面略コ字状の補強桟の内部に固着ネジ挿通部を設け、この固着ネジ挿通部の外側端面を断面略コ字状の補強桟の両自由端部で形成される面内に配置したので、補強桟のキャビネット底面板部への取り付けが、補強桟の側辺部の自由端部または底辺部外面のいずれをキャビネット底面板部に当接させても、同じ固着ネジを用いて固着できるようになるものである。
【００２９】
また請求項２記載の発明にあっては、上記請求項１記載の発明の効果に加えて引出し部内部に収納自在な内トレイを設けると共に内トレイに把手を設けたので、収納物を収納した内トレイを把手を掴んで引出し部より引き出すことで、引出し部の後方下部等の最も取り出しにくい位置に収納された収納物でも、内トレイごと引出し部より引き出すことによって容易に取り出せるようになるものである。
【００３０】
また請求項３記載の発明にあっては、上記請求項１記載の発明の効果に加えて引出し部の凹部を、引出し部後部の両側板部間全長のうちの一部にのみ設けたので、空所の後部の一側方にのみ配管が配置されている場合、配管が配置されていない側の引出し部後部に収納部を延長することで、収納部を拡大することができるものである。
【図面の簡単な説明】
【図１】本発明の一実施形態における引出し部を引き出した状態の斜視図である。
【図２】同上の実施形態を示し、（ａ）は引出し部を収納した状態の断面図であり、（ｂ）は引出し部を引き出した状態の断面図である。
【図３】本発明の他の実施形態で使用する補強桟を示し、（ａ）は上面図であり、（ｂ）は正面図である。
【図４】同上の補強桟をキャビネットの底面板部に固着した状態を示し、（ａ）は自由端部側を底板部に固着した状態の断面図であり、（ｂ）は底部を底板部に固着した状態の断面図である。
【図５】同上の実施形態において引出し部を収納した状態の側面図である。
【図６】本発明の更に他の実施形態で内トレイを用いて収納物を引出し部に収納する時の分解斜視図である。
【図７】収納機能付キャビネットの斜視図である。
【図８】従来の補強桟をキャビネットの底面板部に固着した状態を示し、（ａ）は自由端部側を底板部に固着した状態の断面図であり、（ｂ）は底部を底板部に固着した状態の断面図である。
【図９】同上の補強桟をキャビネットの底面板部に固着した状態を示し、（ａ）は底部を底板部に固着した状態の断面図であり、（ｂ）は自由端部側を底板部に固着した状態の断面図である。
【符号の説明】
１  キャビネット
２  引出し部
３  空所
４  配管
５  凹部
【図１】
0003613152.tif 000002
【図２】
0003613152.tif 000003
【図３】
0003613152.tif 000004
【図４】
0003613152.tif 000005
【図５】
0003613152.tif 000006
【図６】
0003613152.tif 000007
【図７】
0003613152.tif 000008
【図８】
0003613152.tif 000009
【図９】
0003613152.tif 000010